【手続補正書】
【提出日】平成16年12月22日(2004.12.22)
【手続補正１】
【補正対象書類名】特許請求の範囲
【補正対象項目名】全文
【補正方法】変更
【補正の内容】
【特許請求の範囲】
【請求項１】
それぞれ異なる開口数に対応する少なくとも２種類の光ディスクを判別する光ディスク判別方法であって、
光ディスクの情報面に光ビームを集束する集束手段の開口数を、前記異なる開口数のうちで最小の第１開口数に設定する設定工程と、
前記設定工程で設定された第１開口数を用いて光ディスクの種類を判別する判別工程と、
を含む光ディスク判別方法。
【請求項２】
それぞれ異なる開口数に対応する少なくとも２種類の光ディスクにアクセスする光ディスク装置を制御して光ディスクの種類を判別する光ディスク判別制御装置であって、
光ディスクの情報面に光ビームを集束する集束手段の開口数を、前記異なる開口数のうちで最小の第１開口数に設定する制御を行う設定制御手段と、
前記設定制御手段によって設定された第１開口数を用いて前記光ディスク装置に装填された光ディスクの種類を判別する制御を行う判別制御手段と、
を具備する光ディスク判別制御装置。
【請求項３】
それぞれ異なる開口数に対応する少なくとも２種類の光ディスクにアクセスする光ディスク装置であって、
光ディスクの情報面に光ビームを集束する開口数変更可能な集束手段と、
前記集束手段によって光ビームを照射された光ディスクからの反射光を検出する検出手段と、
前記集束手段の開口数を前記異なる開口数のうちで最小の第１開口数に設定する設定手段と、
前記設定手段によって設定された第１開口数で光ビームが照射された光ディスクからの反射光の検出結果に応じた信号に基づいて、装填された光ディスクの種類を判別する判別手段と、
を具備する光ディスク装置。
【請求項４】
前記設定手段は、前記異なる開口数のうちで小さい開口数から順に設定していき、
前記判別手段は、前記設定手段によって設定された開口数で光ビームが照射された光ディスクからの反射光の検出結果に応じた信号に基づいて、装填された光ディスクの種類が前記開口数に対応する種類であるか否かを判別していく請求項３に記載の光ディスク装置。
【請求項５】
前記異なる開口数に対応する異なる波長の光ビームを選択的に出力する光源手段と、
前記設定手段が前記集束手段の開口数を前記第１開口数に設定する場合に、前記光源手段が出力する光ビームの波長を前記異なる波長のうちで最長の第１波長に設定する波長設定手段と、
を具備し、
前記集束手段は、前記光源手段からの光ビームを集束する請求項３に記載の光ディスク装置。
【請求項６】
前記異なる開口数に対応する異なる波長の光ビームを選択的に出力する光源手段を具備し、
前記集束手段は、前記光源手段からの光ビームを集束し、
前記集束手段の開口数は、集束する光ビームの波長に応じて変化し、
前記設定手段は、前記光源手段が出力する光ビームの波長を前記異なる波長のうちで最長の第１波長に設定することによって、前記集束手段の開口数を前記第１開口数に設定す
る請求項３に記載の光ディスク装置。
【請求項７】
前記設定手段は、前記異なる開口数のうちで小さい開口数から順に設定していき、
前記設定手段または前記波長設定手段は、前記異なる波長のうちで長い波長から順に設定していき、
前記判別手段は、前記設定された開口数および波長で光ビームが照射された光ディスクからの反射光の検出結果に応じた信号に基づいて、装填された光ディスクの種類が前記開口数および波長に対応する種類であるか否かを判別していく請求項５または６に記載の光ディスク装置。
【請求項８】
前記少なくとも２種類の光ディスクは、光ビームが通過するそれぞれ異なる厚さの光ビーム通過層を有し、
光ディスクの情報面上に集束された光ビームスポットに発生する球面収差を補正する球面収差補正手段と、
前記設定手段が前記集束手段の開口数を前記第１開口数に設定する場合に、前記球面収差補正手段の補正量を、前記異なる厚さのうちで最大の厚さに応じた第１補正量に設定する球面収差設定手段と、
を具備する請求項５または６に記載の光ディスク装置。
【請求項９】
前記設定手段は、前記異なる開口数のうちで小さい開口数から順に設定していき、
前記設定手段または前記波長設定手段は、前記異なる波長のうちで長い波長から順に設定していき、
前記球面収差補正手段は、前記異なる厚さに対応する補正量のうちで厚い層に対応する補正量から順に設定していき、
前記判別手段は、前記設定された開口数、波長および補正量で光ビームが照射された光ディスクからの反射光の検出結果に応じた信号に基づいて、装填された光ディスクの種類が前記開口数、波長および補正量に対応する種類であるか否かを判別していく請求項８に記載の光ディスク装置。
【請求項１０】
前記異なる厚さは、１．２＋０．３〜１．２−０．１ミリメートル、０．６＋０．５３〜０．６−０．５ミリメートル、１００＋５〜１００−５マイクロメートルおよび７５＋５〜７５−５マイクロメートルの少なくとも１つを含む請求項８または９に記載の光ディスク装置。
【請求項１１】
前記異なる波長は、４００〜４１０ナノメートル、６４５〜６６０ナノメートルおよび７７５〜７９５ナノメートルの少なくとも１つを含む請求項５から１０のいずれか１つに記載の光ディスク装置。
【請求項１２】
前記異なる開口数は、０．８５＋０．０１〜０．８５−０．０１、０．６＋０．０１〜０．６−０．０１および０．５０＋０．０１〜０．５０−０．０１の少なくとも１つを含む請求項３から１１のいずれか１つに記載の光ディスク装置。
【請求項１３】
前記異なる波長は、４０５＋５〜４０５−５ナノメートル、６５０＋５〜６５０−５ナノメートルおよび７８０＋１０〜７８０−１０ナノメートルの少なくとも１つを含む請求項５から１０のいずれか１つに記載の光ディスク装置。
【請求項１４】
前記異なる開口数は、０．８５＋０．０１〜０．８５−０．０１、０．６＋０．０１〜０．６−０．０１および０．４５＋０．０１〜０．４５−０．０１の少なくとも１つを含む請求項３から１０または１３のいずれか１つに記載の光ディスク装置。
【請求項１５】
前記反射光の検出結果に応じた信号は、フォーカスの誤差を示すフォーカスエラー信号、トラッキングの誤差を示すトラッキングエラー信号、前記反射光の光量を示す全光信号および再生信号の少なくとも１つを含む請求項３から１４のいずれか１つに記載の光ディスク装置。
【請求項１６】
それぞれ異なる開口数に対応する少なくとも２種類の情報面を判別する情報面判別方法であって、
光ディスクの情報面に光ビームを集束する集束手段の開口数を、前記異なる開口数のうちで最小の第１開口数に設定する設定工程と、
前記設定された第１開口数を用いて情報面の種類を判別する判別工程と、
を含む情報面判別方法。
【請求項１７】
それぞれ異なる開口数に対応する少なくとも２種類の情報面にアクセスする光ディスク装置を制御して情報面の種類を判別する情報面判別制御装置であって、
光ディスクの情報面に光ビームを集束する集束手段の開口数を、前記異なる開口数のうちで最小の第１開口数に設定する制御を行う設定制御手段と、
前記設定された第１開口数を用いて、前記光ディクス装置に装填された光ディスクの情報面の種類を判別する制御を行う判別制御手段と、
を含む情報面判別制御装置。
【請求項１８】
それぞれ異なる開口数に対応する少なくとも２種類の情報面にアクセスする光ディスク装置であって、
光ディスクの情報面に光ビームを集束する開口数変更可能な集束手段と、
前記集束手段によって光ビームを照射された情報面からの反射光を検出する検出手段と、
前記集束手段の開口数を前記異なる開口数のうちで最小の第１開口数に設定する設定手段と、
前記設定手段によって設定された第１開口数で光ビームが照射された光ディスクからの反射光の検出結果に応じた信号に基づいて、装填された光ディスクの情報面の種類を判別する判別手段と、
を含む光ディスク装置。
【請求項１９】
光ディスクの情報面の層数をカウントするカウント手段を具備する請求項１８に記載の光ディスク装置。
【請求項２０】
前記少なくとも２種類の情報面は、光ディスクの表面からそれぞれ異なる距離だけ離れた位置に配置され、
前記情報面と略垂直な方向に前記集束手段を移動させる垂直移動手段と、
前記判別手段が情報面の判別を行う場合に、前記垂直移動手段を駆動し、前記表面から異なる距離だけ離れた位置のうちで、表面から遠い位置から順に光ビームが集束されるように制御する移動制御手段と、
を具備する請求項１８または１９に記載の光ディスク装置。
【請求項２１】
情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
を具備し、
前記フォーカス制御手段は、前記判別手段による判別のあと、前記判別手段による判別結果に基づいて、前記少なくとも２種類の情報面のうちで所望の情報面に最初にフォーカスを引き込む請求項２０に記載の光ディスク装置。
【請求項２２】
情報面に応じて球面収差を補正する球面収差補正手段と、
前記フォーカス制御手段が所望の情報面にフォーカスを引き込む場合に、前記球面収差補正手段の補正量を、前記所望の情報面に応じた補正量に設定する球面収差設定手段と、
を具備する請求項２１に記載の光ディスク装置。
【請求項２３】
前記光ディスクの情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
を具備し、
前記集束手段の開口数を順次に切り換え設定し、かつ、各開口数での集束手段を光ディスクに接近離間させ、そのときの出力される集束状態検出手段の信号を、それぞれ記憶する記憶手段と
を具備し、
前記フォーカス制御手段は、前記記憶手段で記憶された集束状態検出手段の信号に基づき、引き込みを行う際に、集束状態検出手段の信号の振幅および/またはバランスの補正
を行う請求項２０に記載の光ディスク装置。
【請求項２４】
前記光ディスクの情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
前記集束手段の開口数を順次に切り換え設定し、かつ、各開口数での集束手段を光ディスクに接近離間させ、そのときの出力される集束状態検出手段の信号を、それぞれ記憶する記憶手段と、
前記集束状態検出手段の信号に基づき、光ディスクの任意の情報面から他の情報面に向かって光ビームを移動する層間ジャンプ手段と、
を具備し、
前記層間ジャンプ手段は、前記記憶手段で記憶された集束状態検出手段の信号に基づき、層間の移動を行う際に、前記集束状態検出手段の信号の振幅および/またはバランスの
補正を行う請求項２０に記載の光ディスク装置。
【請求項２５】
光ビーム通過層の厚みが異なる少なくとも２種類の光ディスクを判別する光ディスク判別装置であって、
前記光ディスク判別装置は前記光ディスクの光ビーム通過層の厚みに応じて光ビームの集束角度を変化させる集束角度変化手段を備え、
前記集束角度変化手段は、前記光ビーム通過層の厚みが異なる少なくとも２種類の光ディスクのうち、最大光ビーム通過層の厚みの光ディスクに対応した集束角度に設定し、光ディスクの種類を判別する、
光ディスク判別装置。
【請求項２６】
前記集束角度変化手段は、少なくとも２種類の対物レンズを切り替える手段を含む、
請求項２５記載の光ディスク判別装置。
【請求項２７】
前記集束角度変化手段は、対物レンズへ入射する入射光特性のうち、角度、波長、偏向方向、位相のうち少なくとも１つを切り替える手段を含む、
請求項２５記載の光ディスク判別装置。
【請求項２８】
前記集束角度変化手段は、前記光ビーム通過層の厚みが異なる少なくとも２種類の光ディスクのうち、大きい光ビーム通過層の厚みに対応した集束角度から順に小さい光ビーム通過層の厚みに対応した集束角度へと設定していき、前記光ビームによる光ディスクの情報面からの検出信号に基づいて、前記光ディスクの種類を判別する、
請求項２５から２７のいずれか１項に記載の光ディスク判別装置。
【請求項２９】
光ビーム通過層の厚みが異なる少なくとも２種類の光ディスクを判別する光ディスク判別方法であって、
前記光ディスク判別方法は前記光ディスクの光ビーム通過層の厚みに対応して集束角度を変化させる集束角度変化ステップを備え、
前記集束角度変化ステップは、前記光ビーム通過層の厚みが異なる少なくとも２種類の光ディスクのうち、最大光ビーム通過層の厚みの光ディスクに対応した集束角度に設定し、光ディスクの種類を判別する、
光ディスク判別方法。
【請求項３０】
前記集束角度変化ステップは、少なくとも２種類の対物レンズを切り替えるステップを含む、
請求項２９記載の光ディスク判別方法。
【請求項３１】
前記集束角度変化ステップは、対物レンズへ入射する入射光特性のうち、角度、波長、偏向方向、位相のうち少なくとも１つを切り替えるステップを含む、
請求項２９記載の光ディスク判別方法。
【請求項３２】
前記集束角度変化ステップは、前記光ビーム通過層の厚みが異なる少なくとも２種類の光ディスクのうち、大きい光ビーム通過層の厚みに対応した集束角度から順に小さい光ビーム通過層の厚みに対応した光ビームの集束角度へと設定していき、
前記光ビームによる光ディスクの情報面からの検出信号に基づいて、前記光ディスクの種類を判別する、
請求項２９から３１のいずれか１項に記載の光ディスク判別方法。